【手続補正書】
【提出日】平成22年6月3日(2010.6.3)
【手続補正１】
【補正対象書類名】特許請求の範囲
【補正対象項目名】全文
【補正方法】変更
【補正の内容】
【特許請求の範囲】
【請求項１】
文書サーバと閲覧端末とが通信可能に構成された文書管理システムであって、
前記文書サーバは、
管理対象の文書を記憶する文書記憶手段と、
前記閲覧端末から文書の閲覧要求を受信する閲覧要求受信手段と、
前記閲覧要求受信手段が受信した前記閲覧要求に応じて、前記閲覧要求された文書を分割し、暗号化情報を用いて暗号化する分割暗号化手段と、
前記閲覧要求を送信した閲覧端末に前記暗号化した文書を送信する文書送信手段とを備え、
前記閲覧端末は、
前記文書サーバに文書の閲覧要求を送信する閲覧要求送信手段と、
前記閲覧要求送信手段で送信した前記閲覧要求に応答して、前記分割して暗号化された文書を前記文書サーバから受信し記憶する暗号化文書記憶手段と、
前記記憶した前記分割して暗号化された文書の所望の閲覧ページを指定するためのページ指定手段と、
前記ページ指定手段が指定した前記所望の閲覧ページを、前記暗号化情報を用いて復号化する第１の復号化手段と、
前記第１の復号化手段により復号化されたページを表示するページ表示手段とを
備えることを特徴とする文書管理システム。
【請求項２】
前記閲覧端末は、
文書管理サーバとの通信確立があるか否かを判定する判定手段を更に含み、
前記第１の復号化手段は、前記判定手段が文書管理サーバとの通信確立があると判定した場合に前記分割して暗号化された文書を復号化し、前記判定手段が前記通信確立がないと判定した場合に前記分割して暗号化された文書を復号化しない事を特徴とする請求項１に記載の文書管理システム。
【請求項３】
前記閲覧端末は、
前記ページ指定手段が指定した前記所望の閲覧ページの次の分割されたページを復号化する第２の復号化手段を更に備え、
前記第２の復号化手段は、前記ページ指定手段が前記所望の閲覧ページを表示した場合に、前記ページ表示手段が表示するページの次の分割されたページを復号化して記憶することを特徴とする請求項１又は請求項２に記載の文書管理システム。
【請求項４】
前記文書サーバは、
分割して暗号化された文書毎の容量情報を計算する計算手段と、
前記容量情報を前記暗号化情報に付加する付加手段と、
を更に備え、
前記文書送信手段は前記容量情報を含む暗号化情報を前記閲覧端末に送信することを特徴とする請求項１乃至請求項３に記載の文書管理システム。
【請求項５】
前記閲覧端末は、
復号化され記憶部に記憶された文書を削除する削除手段を更に備え、
前記削除手段は、前記ページ表示手段が表示する閲覧ページと復号化された前記閲覧ページの前後のページと、ではない復号化され記憶された文書を記憶部から削除する事を特徴とする請求項１乃至請求項４に記載の文書管理システム。
【請求項６】
文書サーバと閲覧端末とが通信可能に構成された文書管理システムの閲覧端末であって、
前記文書サーバに文書の閲覧要求を送信する閲覧要求送信手段と、
前記閲覧要求送信手段で送信した前記閲覧要求に応答して、分割して暗号化された文書を前記文書サーバから受信し記憶する暗号化文書記憶手段と、
前記記憶した前記分割して暗号化された文書の所望の閲覧ページを指定するためのページ指定手段と、
前記ページ指定手段が指定した前記所望の閲覧ページを、前記暗号化情報を用いて復号化する第１の復号化手段と、
前記第１の復号化手段により復号化されたページを表示するページ表示手段とを
備えることを特徴とする閲覧端末。
【請求項７】
前記閲覧端末は、
文書管理サーバとの通信確立があるか否かを判定する判定手段を更に含み、
前記第１の復号化手段は、前記判定手段が文書管理サーバとの通信確立があると判定した場合に前記分割して暗号化された文書を復号化し、前記判定手段が前記通信確立がないと判定した場合に前記分割して暗号化された文書を復号化しない事を特徴とする請求項６に記載の閲覧端末。
【請求項８】
前記閲覧端末は、
前記ページ指定手段が指定した前記所望の閲覧ページの次の分割されたページを復号化する第２の復号化手段を更に備え、
前記第２の復号化手段は、前記ページ指定手段が前記所望の閲覧ページを表示した場合に、前記ページ表示手段が表示するページの次の分割されたページを復号化して記憶することを特徴とする請求項６又は請求項７に記載の閲覧端末。
【請求項９】
前記閲覧端末は、
復号化され記憶部に記憶された文書を削除する削除手段を更に備え、
前記削除手段は、前記ページ表示手段が表示する閲覧ページと復号化された前記閲覧ページの前後のページと、ではない復号化され記憶された文書を記憶部から削除する事を特徴とする請求項６乃至請求項８に記載の閲覧端末。
【請求項１０】
管理対象の文書を記憶する文書記憶手段を備えた文書サーバと閲覧端末とが通信可能に構成された文書管理システムの制御方法であって、
前記文書サーバの閲覧要求受信手段が、の前記閲覧端末から文書の閲覧要求を受信する閲覧要求受信工程と、
前記文書サーバの分割暗号化手段が、前記閲覧要求受信工程が受信した前記閲覧要求に応じて、前記閲覧要求された文書を分割し、暗号化情報を用いて暗号化する分割暗号化工程と、
前記文書サーバの文書送信手段が、前記閲覧要求を送信した閲覧端末に前記暗号化した文書を送信する文書送信工程とを含み、
前記閲覧端末の閲覧要求送信手段が、前記文書サーバに文書の閲覧要求を送信する閲覧要求送信工程と、
前記閲覧端末の暗号化文書記憶手段が、前記閲覧要求送信工程で送信した前記閲覧要求に応答して、前記分割して暗号化された文書を前記文書サーバから受信し記憶する暗号化文書記憶工程と、
前記閲覧端末のページ指定手段が、前記暗号化文書記憶工程で記憶した前記分割して暗号化された文書の所望の閲覧ページを指定するためのページ指定工程と、
前記閲覧端末の第１の復号化手段が、前記ページ指定手段が指定した前記所望の閲覧ページを、前記暗号化情報を用いて復号化する第１の復号化工程と、
前記閲覧端末のページ表示手段が、前記第１の復号化工程により復号化されたページを表示するページ表示工程とを
含むことを特徴とする制御方法。
【請求項１１】
管理対象の文書を記憶する文書記憶手段を備えた文書サーバと閲覧端末とが通信可能に構成された文書管理システムの閲覧端末の制御方法であって、
前記閲覧端末の閲覧要求送信手段が、前記文書サーバに文書の閲覧要求を送信する閲覧要求送信工程と、
前記閲覧端末の暗号化文書記憶手段が、前記閲覧要求送信工程で送信した前記閲覧要求に応答して、前記分割して暗号化された文書を前記文書サーバから受信し記憶する暗号化文書記憶工程と、
前記閲覧端末のページ指定手段が、前記暗号化文書記憶工程で記憶した前記分割して暗号化された文書の所望の閲覧ページを指定するためのページ指定工程と、
前記閲覧端末の第１の復号化手段が、前記ページ指定手段が指定した前記所望の閲覧ページを、前記暗号化情報を用いて復号化する第１の復号化工程と、
前記閲覧端末のページ表示手段が、前記第１の復号化工程により復号化されたページを表示するページ表示工程とを
含むことを特徴とする制御方法。
【請求項１２】
文書サーバと閲覧端末とが通信可能に構成された文書管理システムで読み取り実行可能なプログラムであって、
前記文書サーバを、
管理対象の文書を記憶する文書記憶手段と、
前記閲覧端末から文書の閲覧要求を受信する閲覧要求受信手段と、
前記閲覧要求受信手段が受信した前記閲覧要求に応じて、前記閲覧要求された文書を分割し、暗号化情報を用いて暗号化する分割暗号化手段と、
前記閲覧要求を送信した閲覧端末に前記暗号化した文書を送信する文書送信手段と、
して機能させ、
前記閲覧端末を、
前記文書サーバに文書の閲覧要求を送信する閲覧要求送信手段と、
前記閲覧要求送信手段で送信した前記閲覧要求に応答して、前記分割して暗号化された文書を前記文書サーバから受信し記憶する暗号化文書記憶手段と、
前記記憶した前記分割して暗号化された文書の所望の閲覧ページを指定するためのページ指定手段と、
前記ページ指定手段が指定した前記所望の閲覧ページを、前記暗号化情報を用いて復号化する第１の復号化手段と、
前記第１の復号化手段により復号化されたページを表示するページ表示手段と、
して機能させることを特徴とするプログラム。
【請求項１３】
文書サーバと閲覧端末とが通信可能に構成された文書管理システムの閲覧端末で読み取り実行可能なプログラムであって、
前記閲覧端末を、
前記文書サーバに文書の閲覧要求を送信する閲覧要求送信手段と、
前記閲覧要求送信手段で送信した前記閲覧要求に応答して、前記分割して暗号化された文書を前記文書サーバから受信し記憶する暗号化文書記憶手段と、
前記記憶した前記分割して暗号化された文書の所望の閲覧ページを指定するためのページ指定手段と、
前記ページ指定手段が指定した前記所望の閲覧ページを、前記暗号化情報を用いて復号化する第１の復号化手段と、
前記第１の復号化手段により復号化されたページを表示するページ表示手段と、
して機能させることを特徴とするプログラム。
【手続補正２】
【補正対象書類名】明細書
【補正対象項目名】０００５
【補正方法】変更
【補正の内容】
【０００５】
本発明は上記の課題を解決するためになされたものであり、文書管理サーバで管理される文書を閲覧端末からダウンロードし閲覧する場合に、ダウンロードされる文書を分割して暗号化することにより、ユーザが閲覧したい部分を復号化して閲覧させることで、情報漏洩に対して高度なセキュリティを確保できる文書管理システム、文書管理方法、及びそのプログラムを提供することを目的とする。
【手続補正３】
【補正対象書類名】明細書
【補正対象項目名】０００６
【補正方法】変更
【補正の内容】
【０００６】
本願発明は、文書サーバと閲覧端末とが通信可能に構成された文書管理システムであって、前記文書サーバは、管理対象の文書を記憶する文書記憶手段と、前記閲覧端末から文書の閲覧要求を受信する閲覧要求受信手段と、前記閲覧要求受信手段が受信した前記閲覧要求に応じて、前記閲覧要求された文書を分割し、暗号化情報を用いて暗号化する分割暗号化手段と、前記閲覧要求を送信した閲覧端末に前記暗号化した文書を送信する文書送信手段とを備え、前記閲覧端末は、前記文書サーバに文書の閲覧要求を送信する閲覧要求送信手段と、前記閲覧要求送信手段で送信した前記閲覧要求に応答して、前記分割して暗号化された文書を前記文書サーバから受信し記憶する暗号化文書記憶手段と、前記記憶した前記分割して暗号化された文書の所望の閲覧ページを指定するためのページ指定手段と、前記ページ指定手段が指定した前記所望の閲覧ページを、前記暗号化情報を用いて復号化する第１の復号化手段と、前記第１の復号化手段により復号化されたページを表示するページ表示手段とを備えることを特徴とする。
また、前記閲覧端末は、文書管理サーバとの通信確立があるか否かを判定する判定手段を更に含み、前記第１の復号化手段は、前記判定手段が文書管理サーバとの通信確立があると判定した場合に前記分割して暗号化された文書を復号化し、前記判定手段が前記通信確立がないと判定した場合に前記分割して暗号化された文書を復号化しない事を特徴とする。
また、前記閲覧端末は、前記ページ指定手段が指定した前記所望の閲覧ページの次の分割されたページを復号化する第２の復号化手段を更に備え、前記第２の復号化手段は、前記ページ指定手段が前記所望の閲覧ページを表示した場合に、前記ページ表示手段が表示するページの次の分割されたページを復号化して記憶することを特徴とする。
また、前記文書サーバは、分割して暗号化された文書毎の容量情報を計算する計算手段と、前記容量情報を前記暗号化情報に付加する付加手段と、
を更に備え、前記文書送信手段は前記容量情報を含む暗号化情報を前記閲覧端末に送信することを特徴とする。
また、前記閲覧端末は、復号化され記憶部に記憶された文書を削除する削除手段を更に備え、前記削除手段は、前記ページ表示手段が表示する閲覧ページと復号化された前記閲覧ページの前後のページと、ではない復号化され記憶された文書を記憶部から削除する事を特徴とする。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】